(57)【特許請求の範囲】
【請求項１】
記録用の用紙を供給する給紙機構と、この給紙機構から供給される用紙に記録する記録手段とを備えた記録装置において、
前記給紙機構に装着されている用紙の紙量を検知する紙量検知手段と、
前記紙量検知手段で異なる時刻に検知した複数の紙量に基づいて単位時間当りの紙消費量を求める紙消費速度演算手段と、
前記紙量検知手段で検知された最新の紙量と、紙消費速度演算手段で求めた単位時間当りの紙消費量とに基づいて、給紙機構の用紙が紙切れとなる時期を予測する時期予測手段と、
を備えたことを特徴とする給紙機構付き記録装置。
【請求項２】
前記紙量検知手段は、所定時間おきの検知タイミングで且つ記録装置がアイドル状態のときに、紙量を検知することを特徴とする請求項１に記載の給紙機構付き記録装置。
【請求項３】
前記時期予測手段は、所定時間おきの演算タイミングで且つ記録装置がアイドル状態のときに、紙切れ時期を予測することを特徴とする請求項１又は請求項２に記載の給紙機構付き記録装置。
【請求項４】
カレンダー情報と時刻とを計時する時計手段と、紙量検知手段と時計手段の出力を受けて検知された紙量とその紙量を検知したカレンダー情報及び時刻とを記憶するデータ記憶手段と、データ記憶手段の記憶データを統計的に処理して、少なくとも就労日・休業日別の重み付け係数と時間帯別の重み付け係数を求めて、紙消費速度演算手段が演算する単位時間当りの紙消費量に加味させる重み付け手段とを設けたことを特徴とする請求項３に記載の給紙機構付き記録装置。
【請求項５】
前記時期予測手段で求めた紙切れ時期を表示する表示手段を設けたことを特徴とする請求項３又は請求項４に記載の給紙機構付き記録装置。
【請求項６】
前記時期予測手段で求めた紙切れ時期が所定期間以内のときに警報を出力する警報手段を設けたことを特徴とする請求項３又は請求項４に記載の給紙機構付き記録装置。
【請求項７】
前記警報手段がアラームランプを含むことを特徴とする請求項６に記載の給紙機構付き記録装置。
【請求項８】
前記警報手段が、音声合成回路と、その音声合成回路で発生した警告音を出力するスピーカーとを含むことを特徴とする請求項６に記載の給紙機構付き記録装置。
【発明の詳細な説明】
【０００１】
【発明の属する技術分野】
本発明は、ファクシミリ装置や複写機やプリンタ等の給紙機構付き記録装置に関し、特に給紙機構の紙量を検知し紙切れ時期を求めて表示したり警告したりするようにしたものに関する。
【０００２】
【従来の技術】
ファクシミリ装置や複写機やプリンタ等の給紙機構付き記録装置においては、ロール紙を給紙する給紙機構又は用紙カセットからカット用紙を給紙する給紙機構が設けられている。従来、ロール紙の場合には、そのロール紙の最終約１〜２ｍの所定長さ部分に、赤や黒の太線からなる警告マークを印刷しておき、その警告マークで紙切れが近いことを報知するようになっている。用紙カセットから給紙する給紙機構の場合、用紙カセット内の用紙が無くなったことを検知して表示手段に表示する技術は公知であるが、用紙カセットには所定量の用紙ではなく任意量の用紙が補充される関係上、用紙カセット内の用紙の残量を検知することは容易ではなく、用紙カセット内の用紙残量を検知する実用に適した技術は未だ提案されていない。
【０００３】
【発明が解決しようとする課題】
例えば、ロール紙を給紙する給紙機構を有するファクシミリ装置の場合、受信中にロール紙が無くなって受信が中断することもあり、ロール紙のストックが無い場合には暫くの間受信不能になるという問題がある。用紙カセットからカット紙を供給する給紙機構を有するファクシミリ装置の場合には、前記と同様に紙切れによる記録の中断が発生することがある。この記録中断中の受信データは通常メモリに格納され、記録再開時にメモリから読み出して記録するように構成してあるが、メモリがオーバーフローした場合には再度受信することが必要となる。
【０００４】
以上はファクシミリ装置の場合を例として説明したが、プリンタの場合には、紙切れによる印刷の中断が発生するし、複写機の場合には紙切れによる複写の中断が発生する。
本発明の目的は、紙切れ時期を予測できるようにすることである。
【０００５】
【課題を解決するための手段】
請求項１の給紙機構付き記録装置は、記録用の用紙を供給する給紙機構と、この給紙機構から供給される用紙に記録する記録手段とを備えた記録装置において、前記給紙機構に装着されている用紙の紙量を検知する紙量検知手段と、前記紙量検知手段で異なる時刻に検知した複数の紙量に基づいて単位時間当りの紙消費量を求める紙消費速度演算手段と、前記紙量検知手段で検知された最新の紙量と、紙消費速度演算手段で求めた単位時間当りの紙消費量とに基づいて、給紙機構の用紙が紙切れとなる時期を予測する時期予測手段とを備えたものである。
【０００６】
紙量検知手段により給紙機構に装着されている用紙の紙量が検知されると、紙消費速度演算手段は、紙量検知手段で異なる時刻に検知した複数の紙量に基づいて単位時間当りの紙消費量（紙消費速度）を求める。従って、最新の紙量と紙消費速度とに基づいて、用紙が無くなる紙切れ時期を予測することが可能になる。このように、給紙機構の用紙が紙切れとなる時期を予測できるため、用紙カセット方式の給紙機構に予めカット用紙用紙を補給したり、ロール紙方式の給紙機構のロール紙を交換したり、ロール紙のストックを準備する等の対策を講ずることができる。
【０００７】
請求項２の給紙機構付き記録装置は、請求項１の発明において、前記紙量検知手段は、所定時間おきの検知タイミングで且つ記録装置がアイドル状態のときに、紙量を検知するように構成したものである。このように、所定時間おきの検知タイミングで紙量を検知するため、紙消費量に関する時系列的なデータを蓄積し、紙消費速度に関するデータの信頼性を高めることができる。また、記録装置がアイドル状態のときに紙量を検知するため、紙量検知の為に記録装置の記録を妨げることがない。その他、請求項１と同様の作用を奏する。
【０００８】
【０００９】
請求項３の給紙機構付き記録装置は、請求項１又は請求項２の発明において、時期予測手段は、所定時間おきの演算タイミングで且つ記録装置がアイドル状態のときに、紙切れ時期を予測するように構成したものである。このように、所定時間おきの演算タイミングで紙切れ時期を予測するため、紙切れが発生して記録が中断するのを防止することができる。また、記録装置がアイドル状態のときに、紙切れ時期の予測の為の処理を実行するため、紙切れ時期の予測の為に記録装置の記録を妨げることがない。その他、請求項１又は請求項２と同様の作用を奏する。
【００１０】
請求項４の給紙機構付き記録装置は、請求項３の発明において、カレンダー情報と時刻とを計時する時計手段と、紙量検知手段と時計手段の出力を受けて検知された紙量とその紙量を検知したカレンダー情報及び時刻とを記憶するデータ記憶手段と、データ記憶手段の記憶データを統計的に処理して、少なくとも就労日・休業日別の重み付け係数と時間帯別の重み付け係数を求めて、紙消費速度演算手段が演算する単位時間当りの紙消費量に加味させる重み付け手段とを設けたものである。通常の場合、就労日に比べて休業日の紙消費量は少なく、また、時間帯（例えば、就労時間帯と非就労時間帯）によっても紙消費量は変動することから、少なくとも就労日・休業日別の重み付け係数と時間帯別の重み付け係数を求めて、紙消費速度演算手段が演算する紙消費速度に加味させることにより、紙切れ時期の予測精度を高めることができる。その他、請求項３と同様の作用を奏する。
【００１１】
請求項５の給紙機構付き記録装置は、請求項３又は請求項４の発明において、前記時期予測手段で求めた紙切れ時期を表示する表示手段を設けたものである。  それ故、ユーザーは、表示手段に表示された紙切れ時期を知り、種々の対策を講ずることができる。その他、請求項３又は請求項４と同様の作用を奏する。
【００１２】
請求項６の給紙機構付き記録装置は、請求項３又は請求項４の発明において、前記時期予測手段で求めた紙切れ時期が所定期間以内のときに警報を出力する警報手段を設けたものである。それ故、紙切れ時期が所定期間以内であることをユーザーに告知することができる。その他、請求項３又は請求項４と同様の作用を奏する。
【００１３】
請求項７の給紙機構付き記録装置は、請求項６の発明において、前記警報手段がアラームランプを含むものである。それ故、紙切れ時期が所定期間以内であることをユーザーに視覚的に告知することができる。その他、請求項６と同様の作用を奏する。
【００１４】
請求項８の給紙機構付き記録装置は、請求項６の発明において、前記警報手段が、音声合成回路と、その音声合成回路で発生した警告音を出力するスピーカーとを含むものである。それ故、紙切れ時期が所定期間以内であることをユーザーに聴覚的に告知することができる。その他、請求項６と同様の作用を奏する。
【００１５】
【発明の実施の形態】
以下、本発明の実施の形態について図面を参照しながら説明する。
本実施の形態は、感熱ロール紙を供給する給紙機構を備えたファクシミリ装置に本発明を適用した場合の一例である。
最初に、ファクシミリ装置の制御系について説明する。
図１に示す制御系は、紙量検出器１０以外については、通常のファクシミリ装置の制御系と同様であるので簡単に説明すると、テンキーを含む操作パネル１１、ＬＣＤ１２（液晶ディスプレイ）、１列状の多数の発熱素子からなる記録ヘッド１３、給紙機構１４、原稿送り機構１６、１列状の多数のＣＣＤ素子からなる読取りヘッド１７、読取り用ランプ１８、これらを制御するシステム制御ユニット２０が設けられており、給紙機構１４に装着されている感熱ロール紙１５の紙量を検出する紙量検出器１０が設けられ、その検出信号はシステム制御ユニット２０に供給される。
【００１６】
前記システム制御ユニット２０で制御される、画像処理部３０と、通信制御部４０と、送信バッファ３４と、受信バッファ３５及び受信バッファ３５に接続された復号化回路３６も設けられている。画像処理部３０は、読取りヘッド１７で読取った画像のデータを処理する為のもので、読取りヘッド１７から画像信号を受けて２値化し且つ補正処理する２値化回路３１と、この２値化回路３１から受ける画像データを１列分ずつ一時記憶するラインメモリ３２と、画像データを所定の符号化処理にて圧縮する符号化回路３３とを含み、符号化回路３３はシステム制御ユニット２０で制御され、圧縮画像データは符号化回路３３から送信バッファ３４に順次供給される。
【００１７】
通信制御部４０は、画像データの送受信を制御する為のもので、プロトコル制御部４１と、このプロトコル制御部４１に接続されたモデム４２と、このモデム４２及び電話回線に接続されたＮＣＵ４３（回線制御ユニット）とを含み、プロトコル制御部４１がシステム制御ユニット２０で制御される。前記ＮＣＵ４３（にはプッシュフォン４４も接続されている。
送信バッファ３４は、符号化回路３３から受ける圧縮画像データを一時記憶してモデム４２に供給し、その圧縮画像データは通信制御部４０により相手側のファクシミリ装置へ送信される。また、相手側ファクシミリ装置から通信制御部４０を介して受信した圧縮画像データは、受信バッファ３５に一時記憶され、復号化回路３６で復号化されてシステム制御ユニット２０へ供給され、記録ヘッド１３を介してロール紙１５に記録される。
【００１８】
次に、本願の制御に関連する制御系について、図２を参照して説明する。
前記紙量検出器１０とＬＣＤ１２の他に、警告ランプ９と、スピーカー８とが設けられ、システム制御ユニット２０には、ＣＰＵ２１とＲＯＭ２２とＲＡＭ２３とを含むマイクロコンピュータ、ＣＰＵ２１に接続されたカレンダー時計回路２４、Ｉ／Ｏ２５（入出力インターフェイス）、紙量検出器１０の検出信号をＡ／Ｄ変換するＡ／Ｄ変換器２６、ＬＣＤ１２を制御するＬＣＤコントローラ２７、警告ランプ９を駆動するランプドライバ２８、音声合成回路２９、この音声合成回路２９の音声信号を受けてスピーカー８を駆動するスピーカー駆動回路２９ａ等が設けられている。
【００１９】
前記ＲＯＭ２２には、後述の紙量制御の制御プログラム及びそれに付随するマップやテーブルが予め入力格納され、ＲＡＭ２３にはその紙量制御の為の種々のメモリ類が設けられている。カレンダー時計回路２４は、内蔵の水晶発振器からのクロック信号をカウントして年月日時刻を演算して、カレンダー情報（年月日、曜日、祝日）及び時刻情報を発生する。音声合成回路２９は、人工的な音声を発生させる信号を作る回路であり、ＣＰＵ２１からの制御信号に応じた音声信号を発生してスピーカー駆動回路２９ａへ供給する。
【００２０】
次に、前記紙量検出器１０の構造について説明する。
図３に示すように、紙量検出器１０は、画像の記録に供する感熱紙からなるロール紙１５であって給紙機構１４に装着されているロール紙１５の紙量（紙残量）を検出するものである。ロール紙１５に挿通された支軸５０の両端部を支持する１対の支持金具５１，５２が設けられ、各支持金具５１，５２は、Ｕ形部５１ａ，５２ａと腕部５１ｂ，５２ｂとを一体的に構成してなり、腕部５１ｂ，５２ｂの端部がファクシミリ装置のケース部材に固定され、支軸５０の両端部が１対のＵ形部５１ａ，５２ａに嵌めて支持してある。
【００２１】
各支持金具５１，５２は、弾性変形可能な鋼製の板バネ材で構成され、１対の支持金具５１，５２でロール紙１５と支軸５０の全重量を支持するように構成してある。一方の支持金具５１の腕部５１ｂの上面に歪みゲージ５３が貼り付けられ、この支持金具５１と歪みゲージ５３とで紙量検出器１０が構成されている。この支持金具５１には、ロール紙１５の重量Ｗと支軸５０の重量ｗとの合計重量の１／２が作用し、その重量に比例する歪みが腕部５１ｂに発生するため、歪みゲージ５３の検出信号から合計重量の半分、つまり（Ｗ＋ｗ）／２を検出できる。システム制御ユニット２０において、（Ｗ＋ｗ）／２が判ると、支軸５０の重量ｗは一定であるので、ロール紙１５の重量Ｗを求めることができる。ロール紙１５の中心部には、厚紙製の軸筒があり、軸筒の重量ｗａも一定であるので、（Ｗ−ｗａ）、ロール紙１５の単位長さ当りの重量ｗｕから、ロール紙１５の紙残長ＬをＬ＝（Ｗ−ｗａ）／ｗｕとして求めることができる。
【００２２】
次に、前記紙量制御のルーチンについて、図５のフローチャートを参照して説明する。尚、図５において符号Ｓｉ（ｉ＝１，２，・・）は各ステップを示す。  最初に、送信も受信も実行してないアイドル中か否か判定され（Ｓ１）、アイドル中でないときにはリターンし、アイドル中のときには紙量計測タイミングか否か判定される（Ｓ２）。紙量計測は、例えば所定時間おき（例えば、２時間おき）に実行されるが、前記カレンダー時計回路２４には、紙量計測タイミングを計時して紙量計測タイミング毎にＣＰＵ２１に割り込み指令を出力する第１タイマと、所定時間おき（例えば、紙量計測タイミングから１時間経過した２時間おき）に実行される紙切れ時期演算タイミングを計時して紙切れ時期演算タイミング毎にＣＰＵ１２に割り込み指令を出力する第２タイマとが付随的に設けられており、前記第１タイマからの指令によりＳ２の判定が実行される。
【００２３】
紙量計測タイミングとなってＳ２の判定がYes になると、Ｓ３〜Ｓ７が実行される。即ち、紙量検出器１０の検出信号が読み込まれ（Ｓ３）、カレンダー時計回路２４から現在の年月日、曜日（但し、祝日の有無も含む）、時刻のデータが読み込まれ（Ｓ４）、次に紙量検出器１０の検出信号に基づいて既述のように紙残長Ｌが演算されるとともに、その紙残長データと月日、曜日、時刻のデータがＲＡＭ２３のメモリに格納される（Ｓ５）。次に、メモリから読み出した前回の紙残長Ｌと、今回の紙残長Ｌと、前回の計測から今回の計測までの経過時間（本実施形態の場合、２時間）とに基づいて、１時間当りの紙消費量（紙消費速度）が演算されてメモリに格納され（Ｓ６）、次に、その最新の紙消費速度を、紙消費速度の過去の履歴データに加味して、紙消費速度を統計的に処理することで、紙消費速度の履歴データが演算され更新されてメモリに格納され（Ｓ７）、その後リターンする。
【００２４】
この場合、紙消費速度は、月毎に異なり、就労日（土曜、日曜、祝日以外の平日）と非就労日とで異なり、曜日により異なり、就労日であっても就労時間帯と非就労時間帯とで異なることに鑑みて次のような統計的履歴データが収集される。例えば、過去の全就労日の就労時間帯（例えば、９時〜１７時）における平均紙消費速度Ｖｏ、この平均紙消費速度Ｖｏに乗ずる為の次のような複数の重み付け係数とが統計的に演算されて更新される。前記複数の重み付け係数としては、月別係数αｉ（ｉ＝１，２，・・１２）、曜日別係数βｉ（ｉ＝１，２，・・７）、祝日係数γ、非就労時間帯係数δ、等の統計的履歴データが収集される。
【００２５】
次に、Ｓ２の判定が No の場合には、紙切れ時期演算タイミングか否か判定され（Ｓ８）、第２タイマからの指令が入力されていないときには、その判定が No となってリターンし、第２タイマからの指令が入力されて紙切れ時期演算タイミングであるときには、カレンダー時計回路２４から年月日、曜日（但し、祝日の有無も含む）、時刻のデータが読み込まれ（Ｓ９）、次にＲＡＭ２３のメモリから、紙残長データ、紙消費速度の履歴データが読み込まれ（Ｓ１０）、次にロール紙１５が無くなる紙切れ時期（日時）が予測演算される（Ｓ１１）。但し、この場合、紙消費速度として、前記平均紙消費速度Ｖｏに、前記重み付け係数αｉ，βｉ，γ、δのうちの該当する係数を乗算した消費速度を適用して、紙切れ時期（日時）が予測演算される。
【００２６】
次に、前記のようにして求めた紙切れ時期（日時）がＬＣＤ１２に表示出力され（Ｓ１２）、次に前記紙切れ時期に基づいてＮ日（例えば、Ｎ＝３）以内に紙切れになるか否か判定される（Ｓ１３）。但し、このＮ日は一例に過ぎず、紙消費速度との関連においてＮを設定してもよい。Ｓ１３のの判定が No のときにはリターンし、また、Ｎ日以内に紙切れになる場合には、警告ランプ９が所定時間（例えば、３０秒間）点灯され（Ｓ１４）、次に所定の警告メッセージ（例えば、「・・日・・時頃紙切れとなりますので、ロール紙のストックを確認して下さい」）がスピーカー８から報知され（Ｓ１５）、その後リターンする。
【００２７】
以上説明したファクシミリ装置の紙量制御の作用・効果について説明する。
所定時間おきに、紙量検出器１０の検出信号に基づいて紙量を検出し、その紙量から紙残長と紙消費速度を求め、紙残長のデータと紙消費速度の履歴データ（平均紙消費速度Ｖｏ、種々の係数αｉ、βｉ、γ、δ等）を更新していくので、ユーザーの記録性向に応じた履歴データを求め、その信頼性を高めることができる。特に、平均紙消費速度Ｖｏを補正する為の複数の重み付け係数として、月別係数αｉ（ｉ＝１，２，・・１２）、曜日別係数βｉ（ｉ＝１，２，・・７）、祝日係数γ、非就労時間帯係数δ、等の重み付け係数を更新しつつ求め、これらの係数αｉ、βｉ、γ、δを用いて平均紙消費速度Ｖｏを補正することにより、信頼性の高い消費速度を求めることができる。
【００２８】
以上のような信頼性の高い紙残長のデータと紙消費速度のデータに基づいて、紙切れ時期を予測し、その予測した紙切れ時期をＬＣＤ１２に表示出力するため、ユーザーはその紙切れ時期に応じて、ロール紙１５を交換したり、ロール紙１５のストックを準備しておく等の対策を講ずることができ、紙切れによる受信中断等を確実に防止することができる。
しかも、紙切れ時期が近くなったときには、警告ランプ９を点灯させて警告するとともにスピーカー８から所定のメッセージを音声で出力するため、紙切れ時期が近いことをユーザーに確実に報知することができる。
【００２９】
次に、前記実施形態を部分的に変更した変更形態について説明する。
１〕前記紙量検出器１０の代わりに、図４に示す紙量検出器１０Ａを適用してもよい。即ち、ロール紙１５を支持する支軸５０の両端部は、前記支持金具５１，５２と同様の１対の支持金具５４，５４で支持され、ロール紙１５の底部に常時当接する当接板５５は、可変抵抗器を内蔵した変位測定器５６の可動子に連結されて上方へ付勢されており、変位測定器５６で当接板５５の高さ位置を検出するように構成してある。即ち、当接板５５の高さ位置からロール紙１５の半径が判るので紙量を検出することができる。
【００３０】
２〕前記実施形態は、給紙機構１４にロール紙１５を装着するファクシミリ装置を例として説明したが、用紙カセットからカット紙を供給するようにした給紙機構を備えた記録装置（ファクシミリ装置やプリンタや複写機、等）の場合には、用紙カセット内の用紙の残量を検出する必要があるので、図６、図７に示すような紙量検出器１０Ｂを適用するものとする。即ち、用紙カセット６０の底壁６１上面の中央部には、上方凸状に緩湾曲状に湾曲させた板バネ体６３が配設され、その板バネ体６３の一端部は底壁６１にビス６４で固定され、他端は自由端として底壁６１に当接されている。
【００３１】
板バネ体６３の長さ方向の略中央部の上面には歪みゲージ６５が貼り付けられ、その導線６６は用紙カセット６０の側壁部６２の端子６７に接続されている。用紙カセット６０を記録装置に装着したときに、端子６７が記録装置側の端子に接続されるように構成してある。積層状の用紙６８の重量の一部が板バネ体６３に作用して板バネ体６３が用紙６８の重量に比例して弾性変形するため、歪みゲージ６５の検出信号から用紙６８の重量を検知し、用紙６８の枚数を検知することができる。
【００３２】
３〕本発明は、ロール紙から紙を送給する給紙機構又は用紙カセットからカット用紙を送給する給紙機構と、記録手段とを備えた種々の記録装置（ファクシミリ装置、プリンタ、複写機等）に適用できることは勿論であり、また、本発明の趣旨を逸脱しない範囲で前記実施形態に種々の変更を付加して実施できることは勿論である。
【００３３】
【発明の効果】
請求項１の発明によれば、給紙機構に装着されている用紙の紙量を検知する紙量検知手段と、紙量検知手段で異なる時刻に検知した複数の紙量に基づいて単位時間当りの紙消費量（紙消費速度）を求める紙消費速度演算手段と、紙量検知手段で検知された最新の紙量と、紙消費速度演算手段で求めた単位時間当りの紙消費量とに基づいて、給紙機構の用紙が紙切れとなる時期を予測する時期予測手段を設けたので、検知された最新の紙量と紙消費速度とに基づいて、用紙が無くなる紙切れ時期を予測することが可能になる。
その結果、用紙カセット方式の給紙機構に予めカット用紙を補給したり、ロール紙方式の給紙機構のロール紙を交換したり、ロール紙のストックを準備する等の対策を講ずることができる。
【００３４】
請求項２の発明によれば、請求項１と同様の効果を奏するが、紙量検知手段は、所定時間おきの検知タイミングで且つ記録装置がアイドル状態のときに、紙量を検知するように構成したものである。このように、所定時間おきの検知タイミングで紙量を検知するため、紙消費量に関する時系列的なデータを蓄積し、紙消費速度に関するデータの信頼性を高めることができる。また、記録装置がアイドル状態のときに紙量を検知するため、紙量検知の為に記録装置の記録を妨げることがない。
【００３５】
【００３６】
請求項３の発明によれば、請求項１又は請求項２と同様の効果を奏するが、時期予測手段は、所定時間おきの演算タイミングで且つ記録装置がアイドル状態のときに、紙切れ時期を予測するように構成したため、紙切れが発生して記録が中断するのを防止することができる。また、紙切れ時期の予測の為に記録装置の記録を妨げることがない。
【００３７】
請求項４の発明によれば、請求項３と同様の効果を奏するが、時計手段と、検知された紙量とその紙量を検知したカレンダー情報及び時刻とを記憶するデータ記憶手段と、データ記憶手段の記憶データを統計的に処理して、少なくとも就労日・休業日別の重み付け係数と時間帯別の重み付け係数を求めて、紙消費速度演算手段が演算する単位時間当りの紙消費量に加味させる重み付け手段とを設け、前記重み付け係数を、紙消費速度演算手段が演算する単位時間当りの紙消費量（紙消費速度）に加味させることにより、紙切れ時期の予測精度を高めることができる。
【００３８】
請求項５の発明によれば、請求項３又は請求項４と同様の効果を奏するが、時期予測手段で求めた紙切れ時期を表示する表示手段を設けたので、ユーザーは、表示手段に表示された紙切れ時期を知り、種々の対策を講ずることができる。
【００３９】
請求項６の発明によれば、請求項３又は請求項４と同様の効果を奏するが、時期予測手段で求めた紙切れ時期が所定期間以内のときに警報を出力する警報手段を設けたので、紙切れ時期が所定期間以内であることをユーザーに告知することができる。
【００４０】
請求項７の発明によれば、請求項６と同様の効果を奏するが、警報手段がアラームランプを含むので、紙切れ時期が所定期間以内であることをユーザーに視覚的に告知することができる。
【００４１】
請求項８の発明によれば、請求項６と同様の効果を奏するが、警報手段が、音声合成回路と、その音声合成回路で発生した警告音を出力するスピーカーとを含むので、紙切れ時期が所定期間以内であることをユーザーに聴覚的に告知することができる。
【図面の簡単な説明】
【図１】本発明の実施形態に係るファクシミリ装置の制御系のブロック図である。
【図２】図１の制御系の要部のブロック図である。
【図３】ロール紙と紙量検出器の斜視図である。
【図４】ロール紙と変更形態に係る紙量検出器の斜視図である。
【図５】紙量制御のルーチンのフローチャートである。
【図６】変更形態に係る用紙カセットの斜視図である。
【図７】図６の用紙カセットに適用した紙量検出器の斜視図である。
【符号の説明】
８                          スピーカー
９                          警告ランプ
１０，１０Ａ，１０Ｂ        紙量検出器
１２                        ＬＣＤ
１３                        記録ヘッド
１４                        給紙機構
２０                        システム制御ユニット
【図１】
0003610654.tif 000002
【図２】
0003610654.tif 000003
【図３】
0003610654.tif 000004
【図４】
0003610654.tif 000005
【図５】
0003610654.tif 000006
【図６】
0003610654.tif 000007
【図７】
0003610654.tif 000008